(57)【要約】実質的に互いに位相ロックされた２つの光周波数コム・ソース（ＯＦＣＳ）を有し、これらのＯＦＣＳのうちの１つがＷＤＭ通信信号を作り出すためにトランスミッタで使用され、別のＯＦＣＳが、トランスミッタから受信されるＷＤＭ通信信号のホモダイン検波のために適した複数の局部発振器信号を作り出すためにレシーバで使用されるＷＤＭ通信システム。１つの実施形態で、トランスミッタは（ｉ）第１周波数コムを生成するように構成された第１ＯＦＣＳと、（ｉｉ）第１周波数コムを使用して、レシーバへの送信のために、少なくとも２つのビーコン・ラインを有するＷＤＭ通信信号を生成するように構成された光モジュレータとを有する。レシーバは、第２周波数コムがビーコン周波数を有する少なくとも２つのコム・ラインを有するように、第２周波数コムを作り出すように構成された第２ＯＦＣＳを有し、このコム・ラインの位相は、受信ＷＤＭ信号のビーコン・ラインの位相にロックされている。
2009524351.tif 000002
【特許請求の範囲】
【請求項１】
第１周波数コムを表す第１および第２ビーコン・ラインを有するＷＤＭ通信信号を受信するステップと、
第２周波数コムを生成するステップと、
前記第２周波数コムの第１コム・ラインの位相を前記第１ビーコン・ラインの位相にロックするステップと、
前記第１周波数コムと前記第２周波数コムとの間の位相ロックを実質的に達成するために、前記第２周波数コムの第２コム・ラインの位相を前記第２ビーコン・ラインの位相にロックするステップとを含む通信方法。
【請求項２】
前記第１および第２ビーコン・ラインの少なくとも１つが、データを用いて変調される請求項１に記載の発明。
【請求項３】
前記第１周波数コムが第１光周波数コム・ソース（ＯＦＣＳ）を使用して作り出され、
前記第２周波数コムが第２ＯＦＣＳを使用して作り出され、
前記第１ＯＦＣＳがトランスミッタに配置され、
前記第２ＯＦＣＳがレシーバに配置され、
前記第１ＯＦＣＳと前記第２ＯＦＣＳとの各々がモードロック・レーザであり、
前記第１ＯＦＣＳがマスタＯＦＣＳに位相ロックされる請求項１に記載の発明。
【請求項４】
前記第１および第２コム・ラインを選択するために、光学的に前記第２周波数コムをフィルタリングするステップと、
干渉信号の第１ペアを作り出すために、前記第１コム・ラインを前記受信ＷＤＭ信号の第１コピーと混合するステップと、
干渉信号の第２ペアを作り出すために、前記第２コム・ラインを前記受信ＷＤＭ信号の第２コピーと混合するステップと、
前記干渉信号の前記第１ペアを、前記第１コム・ラインと前記第１ビーコン・ラインとの間の位相差を示す第１電気信号に変換するステップと、
前記干渉信号の前記第２ペアを、前記第２コム・ラインと前記第２ビーコン・ラインとの間の位相差を示す第２電気信号に変換するステップと、
前記第１および第２電気信号に基づいて、（ｉ）前記第１ビーコン・ラインの位相への前記第１コム・ラインの位相のロッキング、および（ｉｉ）前記第２ビーコン・ラインの位相への前記第２コム・ラインの位相のロッキングを作り出すために、前記第２ＯＦＣＳに適用される１つまたは複数の制御信号を生成するステップとをさらに含む請求項３に記載の発明。
【請求項５】
前記第１電気信号に基づいて第１制御信号を生成するステップと、
前記第２電気信号に基づいて第２制御信号を生成するステップと、
各々の加重信号を生成するために、前記第１および第２制御信号の各々に加重するステップと、
第３制御信号を生成するために、前記２つの各々の加重信号を足し算するステップと、
少なくとも１つのさらなる制御信号を作り出すために、異なる重み係数を使用して、加重および足し算の前記ステップを繰り返すステップとをさらに含む請求項４に記載の発明。
【請求項６】
前記第１ＯＦＣＳが前記第２ＯＦＣＳに関して移動し、
前記方法が、
前記第１周波数コムの各コム・ラインについて、前記コム・ラインの前記周波数を各々の最初の周波数から各々の調整された周波数に変更して、前記移動のために前記調整された周波数のドップラー・シフトに実質的に等しい絶対値を有する周波数シフトを導入するステップを含み、前記第１ＯＦＣＳが光キャビティを有するモードロック・レーザであり、前記方法が前記光キャビティの長さを変更するステップを含む請求項３に記載の発明。
【請求項７】
前記第１ビーコン・ラインが、前記受信ＷＤＭ信号の第１非変調構成要素であり、
前記第２ビーコン・ラインが、前記受信ＷＤＭ信号の第２非変調構成要素であり、
前記受信ＷＤＭ信号が、前記第１周波数コムを表す１つまたは複数のデータ変調構成要素を含む請求項１に記載の発明。
【請求項８】
前記方法が、
前記第１周波数コムを生成するステップと、
前記第１周波数コムを個々のコム・ラインにデマルチプレクスするステップと、
前記データの各々の部分を用いて、前記第１周波数コムのうちの選択された１つまたは複数のコム・ラインの各々を個々に変調するステップと、
多重化された信号を形成するために、前記１つまたは複数の変調コム・ラインを多重化するステップと、
前記受信ＷＤＭ信号を作り出すために、前記多重化された信号を通信リンクを介して送信するステップとをさらに含む請求項７に記載の発明。
【請求項９】
第１光周波数コム・ソース（ＯＦＣＳ）によって生成された第１周波数コムを表す第１および第２ビーコン・ラインを有するＷＤＭ通信信号を受信するように構成されたディテクタと、
第２周波数コムを生成するように構成された第２ＯＦＣＳと、
（ｉ）前記第２周波数コムの第１コム・ラインの位相が実質的に前記第１ビーコン・ラインの位相にロックされ、（ｉｉ）前記第２周波数コムの第２コム・ラインの位相が実質的に前記第２ビーコン・ラインの位相にロックされるように、前記第２ＯＦＣＳを制御するように構成された制御回路とを備える装置。
【請求項１０】
前記制御回路が、
前記第１および第２コム・ラインを選択するために、前記第２周波数コムをフィルタリングするように構成された光フィルタと、
干渉信号の第１ペアを作り出すために、前記第１コム・ラインを前記受信ＷＤＭ信号の第１コピーと混合するように構成された第１光カプラと、
干渉信号の第２ペアを作り出すために、前記第２コム・ラインを前記受信ＷＤＭ信号の第２コピーと混合するように構成された第２光カプラと、
前記干渉信号の前記第１ペアを、前記第１コム・ラインと前記第１ビーコン・ラインとの間の位相差を示す第１電気信号に変換するように構成された第１フォトディテクタと、
前記干渉信号の前記第２ペアを、前記第２コム・ラインと前記第２ビーコン・ラインとの間の位相差を示す第２電気信号に変換するように構成された第２フォトディテクタと、
前記第１および第２電気信号に基づいて、（ｉ）前記第１ビーコン・ラインの位相に前記第１コム・ラインの位相をロックし、（ｉｉ）前記第２ビーコン・ラインの位相に前記第２コム・ラインの位相をロックするために、前記第２ＯＦＣＳに適用される１つまたは複数の制御信号を生成するように構成された回路とを備える請求項９に記載の発明。
【発明の詳細な説明】
【技術分野】
【０００１】
本出願の主題は、その全体が参照により本明細書に組み込まれている、本出願と同じ日に出願した代理人整理番号Ｄｏｅｒｒ１１０−２４の米国特許出願第ｘｘ／ｘｘｘ，ｘｘｘ号、「Ｃｌｏｎｉｎｇ  Ｏｐｔｉｃａｌ−Ｆｒｅｑｕｅｎｃｙ  Ｃｏｍｂ  Ｓｏｕｒｃｅｓ」の主題に関する。
【０００２】
本発明は光通信機器に関し、より詳細には、光波長分割多重（ＷＤＭ）通信システムのための機器に関する。
【背景技術】
【０００３】
光ＷＤＭ通信システムは、複数のキャリヤ波長（周波数）を有する光信号を使用するように設計されている。各キャリヤ波長はデータを用いて個々に変調され、別の変調された波長と組み合わせられることが可能である。結果として生じる光ＷＤＭ信号は、例えば光ファイバなどの光通信リンクを介して、トランスミッタからレシーバに送信され、そこで変調された波長は分離されて、データを回復するために個々に処理される。この多くのデータ・ストリームを並行して送信するためのＷＤＭシステムの能力は、有利にも、システムが比較的大きな送信容量を有することを可能にする。
【０００４】
ＷＤＭシステムでしばしば使用される１つの変調の種類は、位相偏移変調（ＰＳＫ）である。より具体的には、ＰＳＫ変調は波長の位相を使用して、キャリヤ波長上へデータをコード化する。例えば、ＰＳＫの最も単純な（バイナリの）形式では、ＰＳＫはデジタルの「１」および「０」を、１８０度離れた２つの各々の位相としてコード化する。その他のＰＳＫ形式は、同様に、３つ以上の位相を使用してデータをコード化する。
【０００５】
レシーバでＰＳＫ変調信号をデコードするための１つの方法は、受信されたＰＳＫ変調信号が局部発振器（ＬＯ）信号と組み合わせられるホモダイン検波に基づくものである。その後、変調位相を判定するために、結果として生じる干渉信号の強度が測定される。ホモダイン検波と組み合わせられたＰＳＫ変調が有利にも、その他の光変調検波の組み合わせに対して大幅な感度の改善を提供することができるということは、当技術分野ではよく知られている。
【０００６】
ホモダインＰＳＫの使用に伴う１つの問題点は、各変調信号のホモダイン検波が、変調信号のキャリヤ波長に位相ロックされたＬＯ信号を利用するということである。しかしながらレシーバでは、ＰＳＫが受信された信号の中で擬似ランダムの位相変動を引き起こすことから、キャリヤ波長への位相ロックは比較的達成するのが難しい。また、複数の波長のために複数の位相ロックされたＬＯ信号を提供する作業は、従来技術のＷＤＭシステムの中でホモダインＰＳＫを使用することをさらに難しくする。
【特許文献１】米国特許出願第ｘｘ／ｘｘｘ，ｘｘｘ号
【特許文献２】米国特許出願第１１／２９６，９９６号
【非特許文献１】Ｊ．Ｍ．Ｋａｈｎ、「１  Ｇｂｉｔ／ｓ  ＰＳＫ  Ｈｏｍｏｄｙｎｅ  Ｔｒａｎｓｍｉｓｓｉｏｎ  Ｓｙｓｔｅｍ  Ｕｓｉｎｇ  Ｐｈａｓｅ−Ｌｏｃｋｅｄ  Ｓｅｍｉｃｏｎｄｕｃｔｏｒ  Ｌａｓｅｒｓ」、Ｐｈｏｔｏｎｉｃｓ  Ｔｅｃｈｎｏｌｏｇｙ  Ｌｅｔｔｅｒｓ、ＩＥＥＥ  Ｖｏｌｕｍｅ  １、Ｉｓｓｕｅ  １０、１９８９年１０月、３４０〜３４２頁
【非特許文献２】Ｗ．Ｒ．Ｌｅｅｂ、「Ｏｐｔｉｃａｌ  ９０°Ｈｙｂｒｉｄ  Ｃｏｓｔａｓ−Ｔｙｐｅ  Ｒｅｃｅｉｖｅｒｓ」、Ｅｌｅｃｔｒｏｎｉｃｓ  Ｌｅｔｔｅｒｓ、Ｖｏｌｕｍｅ  ２６、Ｉｓｓｕｅ  １８、１９９０年８月、１４３１〜１４３２頁
【非特許文献３】Ｂ．Ｗａｎｄｅｒｎｏｔｈ、「２０  Ｐｈｏｔｏｎ／Ｂｉｔ  ５６５Ｍｂｉｔ／ｓ  ＰＳＫ  Ｈｏｍｏｄｙｎｅ  Ｒｅｃｅｉｖｅｒ  Ｕｓｉｎｇ  Ｓｙｎｃｈｒｏｎｉｚａｔｉｏｎ  Ｂｉｔｓ」、Ｅｌｅｃｔｒｏｎｉｃｓ  Ｌｅｔｔｅｒｓ、Ｖｏｌｕｍｅ  ２８、Ｉｓｓｕｅ  ４、１９９２年２月１３日、３８７〜３８８頁
【非特許文献４】Ｋ．Ｈ．Ｋｕｄｉｅｌｋａ、Ｗ．Ｋｌａｕｓ、「Ｏｐｔｉｃａｌ  Ｈｏｍｏｄｙｎｅ  ＰＳＫ  Ｒｅｃｅｉｖｅｒ：Ｐｈａｓｅ  Ｓｙｎｃｈｒｏｎｉｚａｔｉｏｎ  ｂｙ  Ｍａｘｉｍｉｚｉｎｇ  Ｂａｓｅｂａｎｄ  Ｓｉｇｎａｌ  Ｐｏｗｅｒ」、Ｌａｓｅｒｓ  ａｎｄ  Ｅｌｅｃｔｒｏ−Ｏｐｔｉｃｓ  Ｓｏｃｉｅｔｙ  １９９９、１２ｔｈ  Ａｎｎｕａｌ  Ｍｅｅｔｉｎｇ（ＬＥＯＳ‘９９）ＩＥＥＥ、Ｖｏｌｕｍｅ  １、１９９９年１１月８〜１１日、２９５〜２９６頁
【発明の開示】
【発明が解決しようとする課題】
【０００７】
比較的単純な位相ロック回路を用いながら、ＰＳＫ変調およびホモダイン検波の使用を可能にする。
【課題を解決するための手段】
【０００８】
従来技術の問題点は、本発明の原理を踏まえて、ＷＤＭ通信信号を作り出すためにトランスミッタで使用される光周波数コム・ソース（ＯＦＳＣ）（ｏｐｔｉｃａｌ−ｆｒｅｑｕｅｎｃｙ  ｃｏｍｂ  ｓｏｕｒｃｅｓ）のうちの１つと、トランスミッタから受信されるＷＤＭ通信信号のホモダイン検波のために適した複数の局部発振器信号を作り出すためにレシーバで使用される他方のＯＦＳＣとの、実質的に互いに位相ロックされた２つのＯＦＣＳを有するＷＤＭ通信システムによって対処される。ＯＦＣＳはコム・ラインとも呼ばれ、互いにしっかりと定義された位相関係を有する、複数の周波数構成要素を生成するように構成された光ソースである。ＯＦＣＳの１つの例は、パルス化されたモードロック・レーザである。レシーバは、レシーバのＯＦＣＳとトランスミッタのＯＦＣＳとの間で実質的な位相ロックを確立するために、ビーコンと呼ばれるＷＤＭ信号構成要素のサブセットを使用するように構成されている。
【０００９】
有利にも、トランスミッタとレシーバで互いに位相ロックされた２つのＯＦＣＳを有することによって、比較的単純な位相ロック回路を用いながら、ＰＳＫ変調およびホモダイン検波の使用が可能となる。例えば、レシーバのＯＦＳＣによって生成されたコム・ラインの位相を、受信されたＷＤＭ信号の各々のビーコン・ラインにロックする位相ロック・ループは、レシーバのＯＦＣＳの１つまたは複数のさらなるコム・ラインと、ＷＤＭ信号の各々の１つまたは複数の非ビーコン構成要素との間で実質的な位相ロックも作り出す。その結果これらのＷＤＭ信号の非ビーコン構成要素は、任意のさらなる位相ロック・ループを用いることなく、ホモダイン検波を使用してレシーバで処理されることが可能である。
【００１０】
１つの実施形態で、トランスミッタは（ｉ）第１周波数コムを生成するように構成された第１ＯＦＣＳと、（ｉｉ）第１周波数コムを使用して、レシーバに送信するために、少なくとも２つのビーコン・ラインを有するＷＤＭ通信信号を生成するように構成された光モジュレータとを有する。レシーバは、第２周波数コムが、ビーコン・ライン周波数を有する少なくとも２つのコム・ラインを有するように、第２周波数コムを作り出すように構成された第２ＯＦＣＳを有し、このコム・ラインの位相は、受信されたＷＤＭ信号のビーコン・ラインの位相にロックされる。
【発明を実施するための最良の形態】
【００１１】
図１は、本発明の１つの実施形態によるＷＤＭ通信システム１００を示す。システム１００は、光通信リンク１０６を介して結合されたＷＤＭトランスミッタ１０２とＷＤＭレシーバ１０４とを有する。トランスミッタ１０２は、複数の周波数（波長）構成要素を生成するように構成された光周波数コム・ソース（ＯＦＣＳ）１１０ａを有する。１つの構成では、周波数構成要素は実質的に、一律に間隔を置いて配置されることが可能である。別の構成では、周波数構成要素のうちの一部は、一律ではなく間隔を置いて配置された複数の周波数構成要素を作り出すために、阻止されるか、または除去されることが可能である。以下では、ＯＦＣＳ１１０ａに類似したＯＦＣＳによって生成される複数の周波数構成要素は「周波数コム」と呼ばれ、周波数コムの各々の個々の周波数構成要素は「コム・ライン」と呼ばれる。
【００１２】
ＯＦＣＳ１１０ａに結合された光モジュレータ１２０は、データ・ストリーム１１８によって提供されるデータを用いて、そのＯＦＣＳによって生成されるコム・ラインの一部またはすべてを変調するように構成されている。モジュレータ１２０はさらに、ＷＤＭ信号１２２を形成するために、変調されたコム・ラインおよび（もしあれば）変調されていないコム・ラインを多重化するように構成されている。ＷＤＭ信号１２２は、光アンプ１３０を使用して増幅され、結果として生じる増幅されたＷＤＭ信号は、レシーバ１０４への送信のために光通信リンク１０６に適用される。
【００１３】
レシーバ１０４は送信されたＷＤＭ信号を受信し、その信号をマルチチャネル・ホモダイン・ディテクタ１５０に適用する。ディテクタ１５０のための局部発振器信号は、トランスミッタ１０２のＯＦＣＳ１１０ａに類似したＯＦＣＳ１１０ｂによって提供される。受信されたＷＤＭ信号の各々の変調された構成要素について、ディテクタ１５０は各タイム・スロット（ビット間隔）の中のその構成要素の位相を判定し、判定結果を信号プロセッサ１６０に提供する。次いで、信号プロセッサ１６０はこれらの結果を、データ・ストリーム１１８に対応するデータ・ストリーム１６２に変換する。
【００１４】
ＯＦＣＳ１１０ｂによって作り出されたＬＯ信号の受信ＷＤＭ信号に対する位相ロックは、フィードバック回路１４０ｂを使用して達成される。ＷＤＭ信号とＬＯ信号との間で位相ロックを確立するためにレシーバによって使用される、信号１２２のコム・ラインおよびレシーバ１０４で受信される信号の対応するコム・ラインは、以下でビーコンと呼ばれる。以下の説明から明らかとなるように、ビーコンは変調されていないコム・ラインであることが可能であり、その場合はＣＷビーコンと呼ばれる。代替として、ビーコンは変調されたコム・ラインであることが可能であり、その場合は変調ビーコンと呼ばれる。
【００１５】
１つの実施形態で、ＯＦＣＳ１１０ａ〜ｂの各々は、そのキャビティモードが各々の周波数コムのコム・ラインとして現れるモードロック・レーザを備える。さらに、ＯＦＣＳ１１０ａ〜ｂは、それらの各々の周波数コムが、ビーコンに対応する周波数を含む共通の周波数セットを有するように構成されている。フィードバック回路１４０ｂは、ビーコン周波数を有するＯＦＣＳ１１０ｂのコム・ラインを、受信されたＷＤＭ信号のビーコン・ラインに位相ロックするように設計されている。すべてのモードロック・レーザのモードは互いに位相ロックされているので、フィードバック回路１４０ｂが、ビーコン周波数を有するＯＦＣＳ１１０ｂのコム・ラインをそのＷＤＭ信号のビーコン・ラインに位相ロックしている場合、ＯＦＣＳ１１０ｂのすべてのコム・ラインは、受信ＷＤＭ信号の対応する周波数構成要素に位相ロックされる。後者の特性は、ＯＦＣＳ１１０ｂが、受信ＷＤＭ信号のすべての変調された構成要素の正確な位相検波のために、適切なＬＯ信号をマルチチャネル・ホモダイン・ディテクタ１５０に提供することを可能にする。
【００１６】
受信ＷＤＭ信号に対するＯＦＣＳ１１０ｂの位相ロックは、実質的にそのＯＦＣＳをＯＦＣＳ１１０ａに位相ロックする。ＯＦＣＳ１１０ａ〜ｂは互いに位相ロックされているが、それらは同期のものではあっても、依然として比較的遅い周波数ドリフトによって影響を受ける場合がある。この周波数ドリフトを実質的に回避するために、ＯＦＣＳ１１０ａは任意で、周波数が固定された基準信号１３８に位相ロックされることが可能である。この位相ロックは、例えば実質的にフィードバック回路１４０ｂに類似したフィードバック回路１４０ａを使用して達成されることが可能である。１つの構成で、基準信号１３８は、例えば原子時計など、周波数基準に参照されるマスタＯＦＣＳ（不図示）によって提供されることが可能である。適切なマスタＯＦＣＳおよびその周波数基準への参照のより詳細な説明は、上で参照された本発明者の特許出願「Ｃｌｏｎｉｎｇ  Ｏｐｔｉｃａｌ−Ｆｒｅｑｕｅｎｃｙ  Ｃｏｍｂ  Ｓｏｕｒｃｅｓ」の中で見つけ出されることが可能である。
【００１７】
図２Ａ〜Ｅは、ＣＷビーコンが使用されているシステム１００の１つの代表的な構成をグラフで示す。より詳細には、図２Ａ〜Ｃはトランスミッタ１０２の特定の光信号をグラフで示し、図２Ｄ〜Ｅはレシーバ１０４の特定の光信号をグラフで示す。
【００１８】
図２Ａは、例えばマスタＯＦＣＳから受信された基準信号１３８を示す。信号１３８は比較的広い（例えばオクターブにわたる）スペクトルを有することが可能であり、比較的狭い間隔のコム・ライン（例として、８０ＭＨｚのスペクトル分離を有するものとして示されている）を含む。図２Ｂは、ＯＦＣＳ１１０ａによって生成された周波数コムを示す。この周波数コムは、比較的狭いスペクトル間隔を有することが可能であり、比較的広い間隔のコム・ライン（例として、約１０ＧＨｚよりも大きなスペクトル分離を有するものとして示されている）を含む。図２Ａと２Ｂとの間に描かれた垂直の両矢印はフィードバック回路１４０ａを使用して得られた、信号１３８の各々の選択されたコム・ラインとＯＦＣＳ１１０ａの周波数コムとの間の位相ロックをシンボル的に表している。図２Ｃは、ＷＤＭ信号１２２を示す。モジュレータ１２０によって与えられたデータ変調は、対応するコム・ラインのスペクトルの拡張を作り出すということに留意されたい。ＣＷビーコンは例として、ＯＦＣＳ１１０ａのスペクトルの中の２つの周辺線として示されている。異なる構成では、任意のその他の２つのコム・ラインは、ビーコンとして機能するために選択されることが可能である。
【００１９】
図２Ｄは、レシーバ１０４で通信リンク１０６から受信されたＷＤＭ信号を示す。図２Ｃに示されているＷＤＭ信号と比較して減少した受信ＷＤＭ信号の強度は、通信リンク１０６によって与えられた信号減衰をグラフで示す。図２Ｅは、ＯＦＣＳ１１０ｂによって生成された周波数コムを示す。この周波数コムは、図２Ｂに示されている周波数コムと類似したものである。図２Ｄと２Ｅとの間に描かれた垂直の両矢印は、フィードバック回路１４０ｂを使用して得られた、受信ＷＤＭ信号のビーコン・ラインと対応するＯＦＣＳ１１０ｂのコム・ラインとの間の位相ロックを表している。
【００２０】
図３は、本発明の１つの実施形態による、システム１００の中でＯＦＣＳ１１０として使用されることが可能なモードロック・レーザ３００の配置を示す。レーザ３００は、高反射ミラー３３０と一部透明ミラー３４０とによって定義される光キャビティを有する。光キャビティは、複数の重複した光通過帯域を有するアレイ導波路回折格子（ａｒｒａｙｅｄ  ｗａｖｅｇｕｉｄｅ  ｇｒａｔｉｎｇ）（ＡＷＧ）３０８を有する。各通過帯域のために、光キャビティは、専用の位相チューナ（ＰＴ）３１２に連続的に接続された専用の半導体光アンプ（ＳＯＡ）３１０を有する。各ＳＯＡ３１０は、各々の光通過帯域のために光利得を提供するように構成されており、各々の位相チューナ３１２は実質的に、その光通過帯域内の分散補償を提供するように構成されている。また光キャビティは、ＳＯＡ３１０によって提供される光利得とＳＡ３０２によって提供される損失変調とが、一部透明ミラー３４０を通じてキャビティから放射されるべき光パルス列のための条件を作り出すように、キャビティの中の光損失を変調するように構成された可飽和アブソーバ（ＳＡ）３０２も有する。パルス列に対応する周波数コムのスペクトル特性は、例えば適切に位相チューナ３１２を構成することによって、制御されることが可能である。１つの実装では、レーザ３００は集積導波路回路である。レーザ３００のより詳細な説明は、その教示が参照により本明細書に組み込まれている、代理人整理番号「Ｄｏｅｒｒ１０６」によって識別される、２００５年１２月８日に出願した同一所有者による米国特許出願第１１／２９６，９９６号、「Ｗｉｄｅ−Ｂａｎｄｗｉｄｔｈ  Ｍｏｄｅ−Ｌｏｃｋｅｄ  Ｌａｓｅｒ」の中で見つけ出されることが可能である。
【００２１】
図４は、本発明の１つの実施形態による、システム１００の中でフィードバック回路１４０として使用されることが可能なフィードバック回路４００の概略構成図を示す。図４では、フィードバック回路４００は例として、図３のレーザ３００に結合されたものとして示されている。フィードバック回路４００に適用される基準信号４０２は、基準信号１３８（図１および２Ａを参照）に類似した信号であっても、またはビーコン・ラインを有するＷＤＭ信号（図１および２Ｄを参照）に類似した信号であってもよい。
【００２２】
レーザ３００の光出力信号４５２は、図４の中でそれぞれコム・ラインＡおよびＢとして指定された２つのコム・ラインを除いて、信号４５２のすべてのコム・ラインをブロックする光フィルタ４１０に適用され、これらの２つのコム・ラインを分離する。フィードバック回路４００がフィードバック回路１４０ａ（図１）として構成される場合、コム・ラインＡおよびＢは基準信号１３８のコム・ラインに対応する任意の２つの適切なコム・ラインであることが可能である。代替として、フィードバック回路４００がフィードバック回路１４０ｂ（図１）として構成される場合、コム・ラインＡおよびＢは、受信ＷＤＭ信号のビーコン・ラインのもの（例えば図２Ｃ〜Ｄを参照）に対応する各々の周波数を有する。光フィルタ４１０を通過した後、コム・ラインＡおよびＢは、それぞれフィルタのポートＡおよびＢに現れる。
【００２３】
基準信号４０２は、光カプラ４０４を使用して、２つの減衰されたコピーに分割される。信号４０２の第１減衰コピーと光フィルタ４１０のポートＡからのコム・ラインＡとは、光カプラ４０６ａに適用される。同様に、信号４０２の第２減衰コピーと光フィルタ５１０のポートＢからのコム・ラインＢとは、光カプラ４０６ｂに適用される。
【００２４】
光カプラ４０６ａ〜ｂの各々は、信号４０２の各々の減衰されたコピー、ならびにコム・ラインＡおよびＢの各々のものから２つの干渉信号を作り出すように設計されている。次いで、各干渉信号はフォトディテクタ４０８の各々のものに向けられ、そこでその信号は対応する電気信号に変換される。回路４００の中のフォトディテクタ４０８は２つのペアで配置され、各ペアの２つのフォトディテクタは、図４に示されているように互いに連続的に接続されている。各フォトディテクタのペアによって生成される信号４１８は実質的に、各々のフォトディテクタによって作り出される電気信号間の差分信号である。各信号４１８は、各々の濾過信号を作り出すために、各々のローパス・フィルタ（ＬＰＦ）４２０に適用される。各濾過信号４２２は次いで各々の補償回路４３０に与えられ、補償回路４３０はその信号に基づいて、レーザ３００に適用される各々の制御信号４３２を作り出す。
【００２５】
コム・ラインＡと信号４０２の対応するコム・ラインとの間の周波数ミスマッチの場合、信号４１８ａは、コム・ライン間の周波数差に対応するビート周波数を有する。ＬＰＦ４２０ａは、このビート周波数をブロックするように構成されているので、信号４２２ａは実質的にゼロである。一方で、コム・ラインＡの周波数が実質的に信号４０２の対応するコム・ラインの周波数に一致する場合、信号４１８ａは、φをこれらのコム・ライン間の位相シフトとして、ｓｉｎφに比例するＤＣ構成要素を有する。ＬＰＦ４２０ａは濾過信号４２２ａを作り出すために、このＤＣ構成要素を通過させる。補償回路４３０ａは、実質的に信号４２２ａをゼロにするために、制御信号４３２ａを作り出すように設計されている。信号４２２ａのゼロはφ＝０に対応するので、レーザ３００は回路４３０ａによって、そのコム・ラインＡを信号４０２の対応するコム・ラインに位相ロックするように操作される。
【００２６】
同様に、コム・ラインＢと信号４０２の対応するコム・ラインとの間の周波数ミスマッチの場合、信号４１８ｂは、コム・ライン間の周波数差に対応するビート周波数を有し、このビート周波数はＬＰＦ４２０ｂによってブロックされる。一方で、コム・ラインＢの周波数が実質的に信号４０２の対応するコム・ラインの周波数に一致する場合、信号４１８ｂは、信号４２２ｂを形成するためにＬＰＦ４２０ｂを通過させるＤＣ構成要素を有する。次いで、補償回路４３０ｂは信号４２２ｂの大きさを最小化するために制御信号４３２ｂを作り出し、それによってレーザ３００がそのコム・ラインＢを信号４０２の対応するコム・ラインに位相ロックするように操作する。
【００２７】
レーザ３００では、信号４３２ａはコム・ラインＡを有するスペクトル通過帯域に対応する位相チューナ３１２に適用されるということに留意されたい。同様に、信号４３２ｂは、コム・ラインＢを有するスペクトル通過帯域に対応する位相チューナ３１２に適用される。レーザ３００の別の位相チューナ３１２に適用される制御信号４４２（そのうちの２つのみが、図４の中に例として示されている）は制御信号４３２ａ〜ｂに基づいて、制御回路４４０によって生成される。より具体的には、各制御信号４２２は適切な重さの信号４３２ａ〜ｂの組み合わせである。例えば、第ｉ位相チューナ３１２に適用される制御信号４４２−ｉは以下のような式（１Ａ〜Ｃ）を使用して作り出される。
Ｓ４４２ｉ＝ＷａｉＳ４３２ａ＋ＷｂｉＳ４３２ｂ      （１Ａ）
【数１】
2009524351.tif 000003
この式で、Ｓ４４２ｉ、Ｓ４３２ａおよびＳ４３２ｂは、それぞれ信号４２２−ｉ、４３２ａおよび４３２ｂの大きさであり、ｗａｉおよびｗｂｉは重み係数であり、ＦＡ、ＦＢおよびＦｉは、それぞれ信号４３２ａを受信する位相チューナ３１２、信号４３２ｂを受信する位相チューナ３１２および第ｉ位相チューナ３１２に対応するスペクトル通過帯域の中心周波数である。
【００２８】
制御回路４４０は、式（１Ａ〜Ｃ）を実施する、複数の重みブロック４４４と複数の合計ノード４４６とを含む。例えば、重みブロック４４４ａｉは信号４３２ａにｗａｉの要素を掛ける。同様に、重みブロック４４４ｂｉは信号４３２ｂにｗｂｉの要素を掛ける。次いで結果として生じる加重信号は、信号４４２−ｉを作り出すために、合計ノード４４６ｉで合計される。
【００２９】
ビーコンが変調されたデータである場合、回路４００（図４）とは異なる位相ロッキングの原理を用いるフィードバック回路／配置を使用するのが有利になるであろう。そのような適切な位相ロッキング配置の例は、以下のものに限定されるわけではないが、（１）例えばＪ．Ｍ．Ｋａｈｎによる論文「１  Ｇｂｉｔ／ｓ  ＰＳＫ  Ｈｏｍｏｄｙｎｅ  Ｔｒａｎｓｍｉｓｓｉｏｎ  Ｓｙｓｔｅｍ  Ｕｓｉｎｇ  Ｐｈａｓｅ−Ｌｏｃｋｅｄ  Ｓｅｍｉｃｏｎｄｕｃｔｏｒ  Ｌａｓｅｒｓ」、Ｐｈｏｔｏｎｉｃｓ  Ｔｅｃｈｎｏｌｏｇｙ  Ｌｅｔｔｅｒｓ、ＩＥＥＥ  Ｖｏｌｕｍｅ  １、Ｉｓｓｕｅ  １０、１９８９年１０月、３４０〜３４２頁の中で開示されているパイロットキャリヤ同期配置、（２）例えばＷ．Ｒ．Ｌｅｅｂによる論文「Ｏｐｔｉｃａｌ  ９０°Ｈｙｂｒｉｄ  Ｃｏｓｔａｓ−Ｔｙｐｅ  Ｒｅｃｅｉｖｅｒｓ」、Ｅｌｅｃｔｒｏｎｉｃｓ  Ｌｅｔｔｅｒｓ、Ｖｏｌｕｍｅ  ２６、Ｉｓｓｕｅ  １８、１９９０年８月、１４３１〜１４３２頁の中で開示されているコスタス型位相ロック・ループ、（３）例えばＢ．Ｗａｎｄｅｒｎｏｔｈによる論文「２０  Ｐｈｏｔｏｎ／Ｂｉｔ  ５６５Ｍｂｉｔ／ｓ  ＰＳＫ  Ｈｏｍｏｄｙｎｅ  Ｒｅｃｅｉｖｅｒ  Ｕｓｉｎｇ  Ｓｙｎｃｈｒｏｎｉｚａｔｉｏｎ  Ｂｉｔｓ」、Ｅｌｅｃｔｒｏｎｉｃｓ  Ｌｅｔｔｅｒｓ、Ｖｏｌｕｍｅ  ２８、Ｉｓｓｕｅ  ４、１９９２年２月１３日、３８７〜３８８頁の中で開示されている同期ビット配置、および／または（４）例えばＫ．Ｈ．Ｋｕｄｉｅｌｋａ、Ｗ．Ｋｌａｕｓによる論文「Ｏｐｔｉｃａｌ  Ｈｏｍｏｄｙｎｅ  ＰＳＫ  Ｒｅｃｅｉｖｅｒ：Ｐｈａｓｅ  Ｓｙｎｃｈｒｏｎｉｚａｔｉｏｎ  ｂｙ  Ｍａｘｉｍｉｚｉｎｇ  Ｂａｓｅｂａｎｄ  Ｓｉｇｎａｌ  Ｐｏｗｅｒ」、Ｌａｓｅｒｓ  ａｎｄ  Ｅｌｅｃｔｒｏ−Ｏｐｔｉｃｓ  Ｓｏｃｉｅｔｙ  １９９９、１２ｔｈ  Ａｎｎｕａｌ  Ｍｅｅｔｉｎｇ（ＬＥＯＳ‘９９）ＩＥＥＥ、Ｖｏｌｕｍｅ  １、１９９９年１１月８〜１１日、２９５〜２９６頁の中で開示されている、ベースバンドの信号電力を最大化するように設計された位相ロッキング配置である。これら４つの論文は、それらの全体が、参照により本明細書に組み込まれている。
【００３０】
図５は、本発明の１つの実施形態による、システム１００の中で光モジュレータ１２０として使用されることが可能な光モジュレータ５００の配置を示す。モジュレータ５００は、周波数コムを有する光入力信号５０２を個々のコム・ライン５１２に非多重化するように構成されたデマルチプレクサ５１０を有する。５１２ａおよび５１２ｂとラベル付けされた２つのコム・ラインは、モジュレータ５００の中でデータを用いて変調されることはなく、送信されたＷＤＭ信号（図２Ｃも参照）の中のビーコンとして機能することが可能である。その他のコム・ライン５１２の各々は、モジュレータ５００に適用されるＮのデータ・ストリームのうちの各々のデータ・ストリームを使用して、プッシュプル構成の中で操作される各々のマッハチェンダー・モジュレータ（ＭＺＭ）５１６に適用される。各ＭＺＭ５１６によって作り出される出力信号は、データを対応するデータ・ストリームから運ぶ各々のＰＳＫ変調信号５１８である。マルチプレクサ５２０は、例えばシステム１００の中の信号１２２として使用されることが可能なＷＤＭ信号５２２を形成するために、コム・ライン５１２ａ〜ｂおよびＰＳＫ変調信号５１８を多重化する。
【００３１】
図６は、本発明の１つの実施形態による、システム１００の中でホモダイン・ディテクタ１５０として使用されることが可能なマルチチャネル・ホモダイン・ディテクタ６００の配置を示す。ディテクタ６００は、例えば、それぞれ通信リンク１０６を介して受信されたＷＤＭ信号およびＯＦＣＳ１１０ｂによって作り出された局部発振器信号など（図１を参照）、２つの光入力信号６０２および６０４を受信するように構成されている。入力信号６０２および６０４は、それぞれデマルチプレクサ６１２および６１４に適用され、各々は各入力信号を個々の周波数構成要素（図２Ｄ〜Ｅも参照）に分離するように構成されている。同じ周波数を有する２つの各々の分離された構成要素は、デマルチプレクサ６１２および６１４から各々の光カプラ６２０へ向けられる。各光カプラ６２０は（ｉ）２つの各々の干渉信号を作り出すために受信された構成要素を結合し、（ｉｉ）これらの干渉信号をフォトディテクタ・アレイ６３０のフォトディテクタの各ペア６３２に適用するように構成されている。１つの光カプラ６２０に対応するフォトディテクタのペア６３２は一般に、回路４００の連続的に接続されたフォトディテクタ４０８のペア（図４参照）に類似している。その結果、アレイ６３０の中の各々の前述のようなフォトディテクタのペアは、信号６０２および６０４の各々の構成要素間の位相差を示す信号を作り出す。次いでディテクタ６００はさらなる処理のために、例えば図１の信号プロセッサ１６０と同様の信号プロセッサに、アレイ６３０によって生成された信号を出力する。この処理はこれらの信号をデコードし、入力信号６０２の変調された構成要素によって運ばれたデータを回復する。
【００３２】
１つの実施形態で、ディテクタ６００は任意で、デマルチプレクサ６１２と光カプラ６２０との間で結合された位相シフタ６１８を組み込む。位相シフタ６１８は、信号６０２のコム・ラインと信号６０４の各々のコム・ラインとの間の（準）静的位相差を修正するように構成されている。そのような（準）静的位相差は、パルス・チャープにおける差、各々の光路の中の波長分散における差等から生じる可能性がある。
【００３３】
図７は、本発明の別の実施形態によるＷＤＭ通信システム７００を示す。より具体的には、システム７００は、地球の周りを回る複数の衛星を有する大気圏外の通信システムである。代表的な構成では、システム７００は地球低軌道（ＬＥＯ）に衛星７１０の一群７０２を含む。一般に、一群７０２は全地球範囲のために十分な数の衛星７１０を有する。民間のシステムＩＲＩＤＩＵＭ、ＴＥＬＥＤＥＳＩＣおよびＣＥＬＥＳＴＲＩは、一群７０２の代表的な例である。
【００３４】
システム７００はさらに、地球静止軌道（ＧＥＯ）に衛星７３０の一群７０４を含む。衛星７３０は主として、データ中継ネットワークとして働く一群７０４とともに、データ中継局として機能するように構成されている。ＮＡＳＡのＴＤＲＳＳネットワークは、一群７０４の代表的な例である。
【００３５】
システム７００はさらに、スペース・シャトル、国際宇宙ステーション、軍事用監視衛星など、複数の特殊化された宇宙機７２０を含んでもよい。宇宙機７２０は典型的に、例えば一群７０２および７０４を介して各々の地上局（不図示）に中継される高解像度画像、ビデオ・ストリーム、テレメトリおよびその他など、比較的大量のデータを生成する。同様に、地上局はしばしば比較的大量のデータを、一群７０２および７０４を介して宇宙機７２０および／またはその他の地上局に送信する。例えば、宇宙機７２０ａはアジアに配置された地上局に向けられるデータを有してもよい。システム７００を使用して、宇宙機７２０ａはデータをＧＥＯ衛星７３０ａに送信し、次いでＧＥＯ衛星７３０ａはデータをＧＥＯ衛星７３０ｂに中継し、ＧＥＯ衛星７３０ｂはさらにデータをＬＥＯ衛星７１０ａに中継し、ＬＥＯ衛星７１０ａは最終的にデータをアジアにある地上局に中継する。当業者であれば、同様にシステム７００の様々な通信ノードの間で様々なデータ中経路が実現可能であることが理解されよう。
【００３６】
図８は、本発明の１つの実施形態による、システム７００の中で使用されることが可能なデータ中継配置（ＤＲＡ）８００の構成図を示す。ＤＲＡ８００は、双方向光通信リンク８２０を介して結合された２つのトランシーバ８１０ａ〜ｂを有する。各トランシーバ８１０は、トランスミッタ８０２およびレシーバ８０４を有する。トランシーバ８１０ａのトランスミッタ８０２ａは、通信サブリンク８２０ａを介してトランシーバ８１０ｂのレシーバ８０４ｂに結合されている。同様に、トランシーバ８１０ｂのトランスミッタ８０２ｂは、通信サブリンク８２０ｂを介してトランシーバ８１０ａのレシーバ８０４ａに結合されている。トランシーバ８１０ａ〜ｂは、例えば、それぞれシステム７００の搭載型の宇宙機７２０ａおよびＧＥＯ衛星７３０ａに配置されることが可能である。
【００３７】
１つの実施形態で、各トランスミッタ８０２は、実質的にトランスミッタ１０２に類似しており、各レシーバ８０４は、実質的にレシーバ１０４に類似している（図１参照）。その結果、トランシーバ８１０ａ〜ｂは、図１および２のコンテキストの中で実質的に上で説明されたように、光ＷＤＭ信号、ＰＳＫ変調およびホモダイン検波を使用してデータを交換することができる。しかしながら、トランスミッタ８０２ａ〜ｂが例えばマスタＯＦＣＳを参照することによって、実質的に同じ周波数を有する周波数コムを使用するように構成されている場合、トランシーバ８１０ａ〜ｂの相対運動は送信されるＷＤＭ信号にドップラー・シフトを与え、結果的に、例えばレシーバ８０４ａのものと比べてトランスミッタ８０２ａの異なる周波数セットになるということに留意されたい。さらに、ドップラー・シフトは相対速度によって決まるので、各レシーバ８０４は典型的に、搭載型の異なる衛星に配置されたトランスミッタ８０２から受信されたＷＤＭ信号の中で、異なる周波数のセットを「認知する」ことになる。
【００３８】
図９は、本発明の別の実施形態による、ＤＲＡ８００の中でトランスミッタ８０２として使用されることが可能なトランスミッタ９０２の構成図を示す。トランスミッタ９０２は図１のトランスミッタ１０２に類似しており、これら２つのトランスミッタの類似の要素は、同じ下２桁を有する参照ラベルで示されている。しかしながら、トランスミッタ１０２とトランスミッタ９０２との間の１つの違いは、後者のものがさらなる要素、すなわちＯＦＣＳ９１０とフィードバック回路９４０との間のフィードバック・ループに組み込まれた位相シフタ（ＰＳ）９７０を有するということである。ＰＳ９７０は、トランスミッタ９０２がドップラー・シフト事前補償を提供することを可能にする。より具体的には、２つの通信をおこなうトランシーバの相対速度に基づいて、トランスミッタ９０２は、レシーバでドップラー・シフトの効果を実質的に無効にするように、ＯＦＣＳ９１０によって生成された周波数コムを調節する。システム７００の中の各トランスミッタが同様のドップラー・シフト事前補償を有する場合、システムの中の各レシーバは有利にも、異なる衛星から受信されたＷＤＭ信号の中で、実質的に同じ周波数のセットを「認知する」ことになる。
【００３９】
ドップラー・シフトは、周波数コムの中の各周波数を、αをトランスミッタとレシーバとの相対速度によって決まる係数として、ｆからαｆに変更する。したがってＰＳ９７０は、周波数ｆを周波数αｆに変換してドップラー・シフトを模倣するために、周波数によって決まる位相シフトを与える。次いでフィードバック回路９４０は、ＯＦＣＳ９１０に、１／αの要素によって、基準信号９３８の周波数に関してその周波数コムの周波数を測定させる。トランスミッタ９０２でのドップラー・シフトおよび周波数スケーリングの正味効果は、レシーバでのＷＤＭ信号の周波数が実質的に基準信号９３８と同じ周波数を有するということである。
【００４０】
ＯＦＣＳ９１０がレーザ３００（図３）と同様のモードロック・レーザを使用して実装される場合、その周波数コムはｍを整数、ｃを光の速度、Ｌをキャビティ長、ｎｐを屈折率として、周波数ｍｃ／（２ｎｐＬ）でコム・ラインを有する。したがって（例えば圧電アクチュエータを使用して）Ｌを変更することは、すべての周波数についてドップラー・シフトを同時に追跡することになる。例えば、λΔｆ／（２ｎｐｆｒ）のキャビティ長の変化は実質的に、ｆｒの往復周波数を有するモードロック・レーザの中で、波長λでのΔｆのドップラー・シフトを補償することになる。ｆｒ＝１０ＧＨｚ、Δｆ＝５ＧＨｚ、ｎｐ＝３．３およびλ＝１．５５μｍである場合、キャビティ長の変化は約０．１μｍである。
【００４１】
本発明は例示的な実施形態に関して説明されてきたが、この説明は、限定的に解釈されることが意図されているわけではない。本発明の実施形態は、位相ロックを得るために２つのコム・ラインを使用することに関して説明されたが、前述のような位相ロックを得るために、３つ以上のコム・ラインもまた使用されることが可能である。通信システムの中で遅い周波数ドリフトが許容されることが可能な場合、マスタＯＦＣＳの原子時計参照は省略されることが可能である。本発明の実施形態はＰＳＫ変調に関して説明されたが、本発明はまた、例えばオン／オフ・キーイング、振幅シフト・キーイング、およびマルチレベル位相または振幅変調方式など、その他の種類の変調を用いて実行されることも可能である。一般に、本発明のトランスミッタおよびレシーバは、量子限界を上回る強度を有する光信号とともに動作するように構成されている。例えば、バイナリ・ホモダインＰＳＫおよび１０−９のビットエラー率（ＢＥＲ）について、量子限界はビット当たり９光子である。一般に、「光」という用語は本明細書で使用される際、任意の適切な電磁気放射線を使用することを指し、必ずしも可視または赤外線のスペクトル領域に対応していなくてもよい。本発明が関係する当業者には明らかな、説明された実施形態の様々な修正形態は、本発明のその他の実施形態とともに、添付の特許請求の範囲の中で述べられている本発明の原理および範囲の中に入るとみなされる。
【００４２】
特に明確に述べられていない限り、各数値および範囲は、「約」または「およそ」などの言葉が値または範囲の値に先行するかのように、およそのものとして解釈されるべきである。
【００４３】
本明細書での「１つの実施形態」または「実施形態」という言及は、実施形態と合わせて説明される特定の機能、構造または特徴が、本発明の少なくとも１つの実施形態の中に含まれることが可能であるということを意味する。本明細書の様々な箇所で現れる「１つの実施形態で」という句は、必ずしもすべてが同じ実施形態を指すわけではなく、また別々または代替の実施形態が、必ずしも互いに別の実施形態と相容れないというわけではない。同じことは、「実装」という用語にも当てはまる。
【００４４】
添付の方法請求項の中のステップは、必要に応じて対応するラベル付けを備えた特定の連続の中で詳述されるが、特許請求項の説明が特にそれらのステップの一部またはすべてを実施するための特定の連続を意味しない限り、それらのステップは、その特定の連続の中で実施されることに必ずしも限定されるわけではない。
【図面の簡単な説明】
【００４５】
【図１】本発明の１つの実施形態によるＷＤＭ通信システムの構成図である。
【図２】図１で示されているシステムの代表的な構成をグラフで示す図である。
【図３】本発明の１つの実施形態による、図１のシステムの中で光周波数コム・ソース（ＯＦＣＳ）として使用されることが可能なモードロック・レーザの配置を示す図である。
【図４】本発明の１つの実施形態による、図１のシステムの中で使用されることが可能なフィードバック回路の概略構成図である。
【図５】本発明の１つの実施形態による、図１のシステムの中で使用されることが可能な光モジュレータの配置を示す図である。
【図６】本発明の１つの実施形態による、図１のシステムの中で使用されることが可能なマルチチャネル・ホモダイン・ディテクタの配置を示す図である。
【図７】本発明の別の実施形態によるＷＤＭ通信システムの図である。
【図８】本発明の１つの実施形態による、図７のシステムの中で使用されることが可能なデータ中継配列（ＤＲＡ）の構成図である。
【図９】本発明の別の実施形態による、図８のＤＲＡの中で使用されることが可能なトランスミッタの概略構成図である。
【図１】
2009524351.tif 000004
【図２】
2009524351.tif 000005
【図３】
2009524351.tif 000006
【図４】
2009524351.tif 000007
【図５】
2009524351.tif 000008
【図６】
2009524351.tif 000009
【図７】
2009524351.tif 000010
【図８】
2009524351.tif 000011
【図９】
2009524351.tif 000012
2009524351.tif 000013
【国際調査報告】
2009524351.tif 000014
2009524351.tif 000015
2009524351.tif 000016